(57)【特許請求の範囲】
【請求項１】
苗を載置して移動させることのできる予備苗載置台（１４Ｒ）を少なくとも一端側が機体の外方に突出するよう構成して設け、該予備苗載置台（１４Ｒ）の一端側には予備苗の空箱を収容する空箱収容枠（１７）を横軸（１９）周りに回動するように設け、該空箱収容枠（１７）を回動させて予備苗載置台（１４Ｒ）より外方位置の空箱受入れ姿勢（イ）と予備苗載置台（１４Ｒ）下方の空間内に位置する収納姿勢（ロ）とに切替えて固定する構成とした苗移植機。
【請求項２】
予備苗載置台（１４Ｒ）に載置する苗箱は、４方の側枠（Ｋ１，Ｋ２，Ｋ３，Ｋ４）と無数の排水孔（Ｋ１０）を備える底枠（Ｋ５）とから構成され、１方の側枠（Ｋ１）と底枠（Ｋ５）とは一体構成とし、３方の側枠（Ｋ２，Ｋ３，Ｋ４）側には底枠（Ｋ５）を載置して抜き差し自在にガイドする底ガイド枠（Ｋ６）を設け、前記１方の側枠（Ｋ１）には把手（Ｋ７）とロック爪（Ｋ８）とを設け、底ガイド枠（Ｋ６）には前記ロック爪（Ｋ８）が嵌合するロック凹部（Ｋ９）を設け、予備苗載置台（１４Ｒ）の少なくとも一端側には該一端側から苗が落下しないように阻止する状態と予備苗の空箱を自由に落下させる状態とに切り替え可能なストッパ−（２２）を設け、該ストッパ−（２２）は機体内側からでも機体外側からでも切り替え操作できるように操作ハンドル（２４ａ，２４ｂ）を設けた請求項１に記載の苗移植機。
【発明の詳細な説明】
【０００１】
【発明の属する技術分野】
この発明は、予備苗の載置台を具備する苗移植機に関し、農業機械の技術分野に属する。
【０００２】
【従来の技術】
一般に田植機等の苗移植機においては、機体上適所に予備苗を載置する予備苗用載置台が設置されてあり、そして、苗載タンク内に苗がなくなると、この載置台上の予備苗を順次補給するようにしている。
【０００３】
【発明が解決しようとする課題】
かかる従来のものでは、苗補給時に苗を抜き取った後の空箱の処理に手数を要していた。
本発明は、かかる課題の解決を図らんとするもので、空箱の回収容易化を目的とする。
【０００４】
【課題を解決するための手段】
この発明は、上記課題を解決すべく次のような技術的手段を講じた。
すなわち、請求項１に係る発明は、苗を載置して移動させることのできる予備苗載置台（１４Ｒ）を少なくとも一端側が機体の外方に突出するよう構成して設け、該予備苗載置台（１４Ｒ）の一端側には予備苗の空箱を収容する空箱収容枠（１７）を横軸（１９）周りに回動するように設け、該空箱収容枠（１７）を回動させて予備苗載置台（１４Ｒ）より外方位置の空箱受入れ姿勢（イ）と予備苗載置台（１４Ｒ）下方の空間内に位置する収納姿勢（ロ）とに切替えて固定する構成とした苗移植機とする。これによって、苗を抜き取った後の空箱を予備苗載置台（１４Ｒ）の一端側に移動させて空箱収容枠（１７）内に落下収容させることができ、空箱の回収作業が容易となる。また、非使用時、つまり、苗植付作業時には空箱収容枠（１７）を機体側に収納させるので、機体スペ−スを小さくすることができ、旋回時に畦などに激突して破損を招くなどの危険性も少なくなる。
【０００５】
また、請求項２に係る発明は、予備苗載置台（１４Ｒ）に載置する苗箱は、４方の側枠（Ｋ１，Ｋ２，Ｋ３，Ｋ４）と無数の排水孔（Ｋ１０）を備える底枠（Ｋ５）とから構成され、１方の側枠（Ｋ１）と底枠（Ｋ５）とは一体構成とし、３方の側枠（Ｋ２，Ｋ３，Ｋ４）側には底枠（Ｋ５）を載置して抜き差し自在にガイドする底ガイド枠（Ｋ６）を設け、前記１方の側枠（Ｋ１）には把手（Ｋ７）とロック爪（Ｋ８）とを設け、底ガイド枠（Ｋ６）には前記ロック爪（Ｋ８）が嵌合するロック凹部（Ｋ９）を設け、予備苗載置台（１４Ｒ）の少なくとも一端側には該一端側から苗が落下しないように阻止する状態と予備苗の空箱を自由に落下させる状態とに切り替え可能なストッパ−（２２）を設け、該ストッパ−（２２）は機体内側からでも機体外側からでも切り替え操作できるように操作ハンドル（２４ａ，２４ｂ）を設けた請求項１に記載の苗移植機とする。これによって、底枠（Ｋ５）が従来の苗取り板の役目を果たし、しかも底枠（Ｋ５）を引き抜くことにより底枠（Ｋ５）に設けた無数の排水孔（Ｋ１０）から下方に伸長する根を底ガイド枠（Ｋ６）により切断できる。また、機体内の運転位置側からでも、また、機体外の畦側からでもストッパ−（２２）の切り替えが容易にでき、作業性が向上する。
【０００６】
【発明の効果】
請求項１に係る発明によると、苗補給時において、苗を抜き取った後の空箱は予備苗載置台（１４Ｒ）の一端側に移動させて空箱収容枠（１７）内に落下収容させることができ、空箱の回収が容易となり、作業能率が向上する。また、非使用時には空箱収容枠（１７）を機体側に収納させるので、機体スペ−スを小さくすることができ、旋回時に畦などに激突して破損を招くなどの危険性も少なくなる。
【０００７】
また、請求項２に係る発明によると、底枠（Ｋ５）が従来の苗取り板の役目を果たすので、従来のように苗取り板を苗箱内に突っ込む手間が省け、しかも底枠（Ｋ５）を引き抜くことにより底枠（Ｋ５）に設けた無数の排水孔（Ｋ１０）から下方に伸長する根を底ガイド枠（Ｋ６）により切断でき、底枠（Ｋ５）への根の絡みを切ることができる。また、機体内の運転位置側からでも、また、機体外の畦側からでもストッパ−（２２）の切り替えが容易にでき、作業性が向上する。
【０００８】
【発明の実施の形態】
この発明の実施例を図面に基づき説明する。
図１及び図２は、８条植田植機を示すものであり、車体１の前後には走行車輪としての左右一対の前輪２，２及び後輪３，３が架設されている。車体上前部に操作ボックス４及びステアリングハンドル５等を有する操縦装置６が設置され、車体後方部には昇降可能な苗植付部７が装備されている。操縦装置６の後側に運転席８が設置され、運転席の下側に田植機の各部に動力を伝達するエンジン９が搭載されている。
【０００９】
苗植付部７は、左右に往復動する苗載タンク１０、１株分の苗を切取って土中に植込む植込杆１１を有する２条植用植付装置１２ａ，１２ｂ，１２ｃ，１２ｄ、苗植付面を整地するフロ−ト１３等からなる。
【００１０】
機体上後方部で苗植付部７と運転席８との間には苗を載置して移動させることのできる予備苗載置台１４を左右横方向に架設してあると共に、少なくとも一端側が機体の横外側方に大きく突出するよう構成してある。実施例では機体の両外側方に大きく突出させた構成であり、そして、その突出する部分１４Ｌ，１４Ｒは、少なくともこの載置台１４の主要部分が苗植付部７の横幅内に収まるように枢着軸１５周りに折り畳み収納できる構成としている。予備苗載置台１４に載置する苗箱はロ−ラ１６を介して横方向に軽く移動させることができる構成である。
【００１１】
予備苗載置台１４Ｒの外端側下方には予備苗の空箱を収容する空箱収容枠１７が設置されている。この収容枠１７内には空箱が載置台上から一箱づつ落下されて順次積み重ね状に収容されるようになっている。１８は取手を示す。
【００１２】
また、この空箱収容枠１７は、載置台１４Ｒより外方位置の空箱受入れ姿勢（イ）と載置台１４Ｒ下方空間内への収納姿勢（ロ）とに切替できるよう出し入れ可能に構成している。つまり、該収容枠１７は横軸１９周りに回動自在であり、ロックピン２０をロック溝２１ａに係止することで、空箱収容枠１７を空箱受入れ姿勢にてロックし、ロックピン２０をロック溝２１ｂに係止することで、空箱収容枠１７を収納姿勢にてロックする構成である。
【００１３】
予備苗載置台１４の一端側又は両端側において、苗箱が外方に落下しないように阻止する状態と予備苗の空箱を自由に落下させる状態とに切り替え可能なストッパ−２２が設けられている。
ストッパ−２２は、予備苗載置台１４の外端フレ−ム１４ａより内側において支軸２３周りに上下揺動自在に構成してあり、そして、該ストッパ−２２には機体内の運転位置側からでも、また、機体外の畦側からでも、ストッパ−位置と非ストッパ−位置とに上下揺動切替操作できるよう操作ハンドル２４ａ，２４ｂを設けた構成としてある。
【００１４】
なお、前記ストッパ−２２は予備苗載置台１４の外端フレ−ム１４ａより内側に設けることで、予備苗載置台１４の両サイドに空箱収容枠１７を設置することが可能となる。
【００１５】
図７に示す苗箱（育苗箱）Ｋについて説明する。
【００１６】
苗箱Ｋは、主として４方側枠Ｋ１，Ｋ２，Ｋ３，Ｋ４と底枠Ｋ５とからなり、一方側枠Ｋ１と底枠Ｋ５とは一体構成とし、３方側枠Ｋ２，Ｋ３，Ｋ４側には底枠Ｋ５を載置して抜き差し自在にガイドする底ガイド枠Ｋ６が設けられ、また、一方側枠Ｋ１側には把手Ｋ７とロック爪Ｋ８を設けた構成としている。そして、側枠Ｋ２，Ｋ３と底ガイド枠Ｋ６には前記ロック爪Ｋ８を嵌合させるためのロック凹部Ｋ９が設けられている。
【００１７】
苗補給時は、把手Ｋ７を持ち、３方側枠Ｋ２，Ｋ３，Ｋ４側より底枠Ｋ５を苗と共に引き抜き、田植機の苗載タンクに装填する。従って、かかる構成によれば、底枠Ｋ５が従来の苗取り板の役目を果たし、従来のように苗取り板を苗箱内に突っ込む手間を省き、しかも、底枠Ｋ５を水平に引き抜くことにより、底枠Ｋ５に設けた無数の排水孔Ｋ１０から下方に伸長する根を底ガイド枠Ｋ６により切断し、底枠Ｋ５への根の絡みを切ることもできる効果がある。
【００１８】
苗植付作業時には、苗載タンク１０に土付マット状苗を収納載置して車体１を走行し、苗植付部７を牽引しながら各部を回転駆動する。すると、苗植付部７は、下部のフロ−ト１３で土壌表面に支持されて滑走されながら、左右往復移動する苗載タンク１０から植込杆１１が一株分づつの苗を分割して土壌表面に植付けて行く。このようにして、一行程の走行で８条列の苗植付け作業が行われる。
【００１９】
苗載タンク１０内に苗が無くなると、予備苗載置台１４上に載置してある予備苗を苗箱から取り出して苗載タンク１０上に補給する。そして、空箱は載置台１４上を移動させて一端側に設けられた空箱収容枠１７内に落下収容する。
【００２０】
次に、図８に示す異なる載置台２５の実施例につき説明する。
【００２１】
数個の予備苗箱を載置できる載置台２５が、長さの異なるリンク２６、２７を介して機体の前方位置から後方の苗植付部７位置との間にわたり、長さの異なるリンク２６、２７を介して移動自在に支持構成されている。リンク２６は縦軸２８を回動支点としてスイングする構成であり、リンク２７はリンク２６とで屈伸自在にピン軸２９で連結保持されている。載置台２５は、実施例ではリンク２７に対し水平面内において回動自在に枢着しているが、ロック機構を介して９０度姿勢変更可能に構成しておくもよく、また、常に同一姿勢を保って平行移動するように構成することもできる。
【００２２】
載置台２５は、リンク２６を（１）→（２）にスイングし、リンク２７を（３）→（４）に屈折回動し、更に（４）→（５）に回動する。そして、次に、リンク２６を（２）→（６）にスイングすると同時に、リンク２７を（５）→（７）に伸長回動することで、機体前方位置から機体側方、つまり、操縦装置６及び運転席８の横外側方を経て苗植付部７の苗載タンク１０対応位置まで支障なく移動させることができる。
【００２３】
従って、特に、載置台２５は、機体の側方を移動するので、機体の重心が高くならず、運転者にも支障をきたさない特徴がある。
【図面の簡単な説明】
【図１】田植機の側面図
【図２】田植機の平面図
【図３】同上要部の背面図
【図４】同上要部の背面図
【図５】同上要部の側面図
【図６】同上要部の平面図
【図７】苗箱の斜視図
【図８】田植機の平面図
【符号の説明】
１４Ｒ：予備苗載置台、１７：空箱収容枠、１９：横軸、２２：ストッパ−、２４ａ：操作ハンドル、２４ｂ：操作ハンドル、Ｋ１，Ｋ２，Ｋ３，Ｋ４：側枠、Ｋ５：底枠、Ｋ６：底ガイド枠、Ｋ７：把手、Ｋ８：ロック爪、Ｋ９：ロック凹部、Ｋ１０：排水孔、（イ）：空箱受入れ姿勢、（ロ）：収納姿勢
【図１】
0004013427.tif 000002
【図２】
0004013427.tif 000003
【図３】
0004013427.tif 000004
【図４】
0004013427.tif 000005
【図５】
0004013427.tif 000006
【図６】
0004013427.tif 000007
【図７】
0004013427.tif 000008
【図８】
0004013427.tif 000009